(57)【要約】【課題】より精度が高くムラの少ない２色画像を形成する画像形成装置を提供すること。【解決手段】２色画像形成機能を備えた画像形成装置であって，任意の１画素を特定画素とし，上記特定画素と上記特定画素に隣接する画素との所定の関係に基づいて連続性を判断し（Ｓ１１０），連続性がないと判断された特定画素の抽出色判別結果が，上記連続性判別領域内の上記特定画素に隣接する所定の割合以上を占める画素の抽出色判別結果に置き換えられ（Ｓ１２０），置き換えられた抽出色判別結果と入力画像データの明度に基づいて，上記入力画像データの非抽出色が所定の色に変換された出力画像データが算出され（Ｓ６０），画像形成を行なう（Ｓ７０）画像形成装置。【選択図】図２
2007266860.tif 000002
【特許請求の範囲】
【請求項１】
入力された画像データが予め定められた彩色の１色である抽出色か該抽出色でない色である非抽出色かを１画素ごとに判別する抽出色判別手段を備え，抽出色と非抽出色からなる２つの色の画像データを取得する画像形成装置であって，
上記抽出色判別手段による判別結果について，上記入力された画像データを構成する画素中の特定画素若しくは一塊の画素の集合からなる特定画素集合と該特定画素又は該特定画素集合に隣接する画素又は画素集合との所定の関係に基づいて，該特定画素又は該特定画素集合の二次元的な連続性を判断する第１の連続性判断手段と，
上記第１の連続性判断手段により上記特定画素又は上記特定画素集合に連続性がないと判断された特定画素又は特定画素集合の上記抽出色判別手段による判別結果を，該特定画素又は該特定画素集合に隣接する画素又は画素集合の上記抽出色判別手段による判別結果に置き換える判別結果置き換え手段と，
上記判別結果置き換え手段の置き換え結果に基づいて，上記入力された画像データの非抽出色を所定の色に変換する非抽出色変換手段と，
を具備してなることを特徴とする画像形成装置。
【請求項２】
入力された画像データが予め定められた彩色の１色である抽出色か該抽出色でない色である非抽出色かを１画素ごとに判別する抽出色判別手段を備え，抽出色と非抽出色からなる２つの色の画像データを取得する画像形成装置であって，
上記抽出色判別手段により判別された画像データの色を上記２つの色に置き換える第１の色置き換え手段と，
上記第１の色置き換え手段によって置き換えられた２色からなる画像データを構成する画素中の特定画素若しくは一塊の画素の集合からなる特定画素集合と該特定画素又は該特定画素集合に隣接する画素又は画素集合との所定の関係に基づいて，該特定画素又は該特定画素集合の二次元的な連続性を判断する第２の連続性判断手段と，
上記第２の連続性判断手段により上記特定画素又は上記特定画素集合に連続性がないと判断された特定画素又は特定画素集合の色を，該特定画素又は該特定画素集合に隣接する画素又は画素集合の色に置き換える第２の色置き換え手段と，
を具備してなることを特徴とする画像形成装置。
【請求項３】
上記所定の関係が，抽出色と非抽出色との割合である請求項１又は２のいずれかに記載の画像形成装置。
【請求項４】
上記第１の連続性判断手段が，上記抽出色判別手段による判別結果について，予め定められた領域で，上記入力された画像データを構成する画素中の特定画素若しくは一塊の画素の集合からなる特定画素集合と該特定画素又は該特定画素集合に隣接する画素又は画素集合との所定の関係に基づいて，該特定画素又は該特定画素集合の二次元的な連続性を判断するものであって，
上記予め定められた領域が，９画素以上５４画素以下である請求項１又は３のいずれかに記載の画像形成装置。
【請求項５】
上記第２の連続性判断手段が，予め定められた領域で，上記第１の色置き換え手段によって置き換えられた２色からなる画像データを構成する画素中の特定画素若しくは一塊の画素の集合からなる特定画素集合と該特定画素又は該特定画素集合に隣接する画素又は画素集合との所定の関係に基づいて，該特定画素又は該特定画素集合の二次元的な連続性を判断するものであって，
上記予め定められた領域が，９画素以上５４画素以下である請求項２又は３のいずれかに記載の画像形成装置。
【請求項６】
上記非抽出色変換手段の変換結果及び入力された画像データの明度に基づいて出力するデータを作成する第１の出力データ作成手段を備えた請求項１又は３又は４のいずれかに記載の画像形成装置。
【請求項７】
上記第２の色置き換え手段の置き換え結果及び入力された画像データの明度に基づいて出力するデータを作成する第２の出力データ作成手段を備えた請求項２又は３又は５のいずれかに記載の画像形成装置。
【発明の詳細な説明】
【技術分野】
【０００１】
本発明は，画像形成装置に関し，特に，カラーの原稿を予め定められた２色で出力する所謂２色コピーの機能を備えた画像形成装置に関するものである。
【背景技術】
【０００２】
一般的に，カラーコピーは，白黒コピーよりも高価である。そのため，フルカラーコピーよりも安価で，白黒コピーよりも表現力が豊かな所謂２色コピーの機能を備えた画像形成装置が存在する。この２色コピー機能は，彩色の１色（例えば赤）を指定して，指定された色と黒色との２色で画像形成を行なうものである。
【特許文献１】特許第３６３３７０２号公報
【発明の開示】
【発明が解決しようとする課題】
【０００３】
特許文献１に記載のような従来の一般的な２色コピー機能を備えた画像形成装置では，入力された画像データが指定された色（抽出色）か指定された色でない色（非抽出色）かを１画素ごとに判別する際に，ゴミなどが付着した原稿や，中間色（例えば肌色）で徐々に階調が異なる部分（例えば人の顔の頬など）を含んだ写真だと，抽出色として判別されるべき画素が，非抽出色と誤って判別されてしまったり，読み取りムラが生じることにより，形成される画像がムラになってしまう場合がある。
本発明では，入力された画像データの抽出色判別結果に基づいて，抽出色と非抽出色との割合などの所定の関係に応じて二次元的な連続性がない画素又は画素集合を隣接する画素又は画素集合の色に置き換えることにより，より精度が高くムラの少ない２色画像を形成する画像形成装置を提供する。
【課題を解決するための手段】
【０００４】
上述のように従来の画像形成装置では，入力された画像データが予め定められた彩色の１色である抽出色か該抽出色でない色である非抽出色かを１画素ごとに判別する抽出色判別手段を備え，抽出色と非抽出色からなる２つの色の画像データを取得する機能を備えている。
このような２色画像を形成する機能を備えた画像形成装置では，入力された画像データが抽出色か非抽出色かを１画素ごとに判別する際に，ゴミなどが付着した原稿や，中間色（例えば肌色）で徐々に階調が異なる部分（例えば人の顔の頬など）を含んだ写真だと，抽出色として判別されるべき画素が，非抽出色と誤って判別されてしまったり，読み取りムラが生じることにより，形成される画像がムラになってしまうという問題があった。
この問題を解決するためには，誤って判別された画素の色を置き換えることが考えられる。
そのために本発明では，上記抽出色判別手段による判別結果について，上記入力された画像データを構成する画素中の特定画素若しくは一塊の画素の集合からなる特定画素集合と該特定画素又は該特定画素集合に隣接する画素又は画素集合との所定の関係に基づいて，該特定画素又は該特定画素集合の二次元的な連続性を判断する。そして，上記連続性判断の結果，上記特定画素又は上記特定画素集合に連続性がないと判断された特定画素又は特定画素集合の上記抽出色判別手段による判別結果を，該特定画素又は該特定画素集合に隣接する画素又は画素集合の上記抽出色判別手段による判別結果に置き換える。その後，該置き換え結果に基づいて，上記入力された画像データの非抽出色が所定の色に変換される。
一方，まず，上記抽出色判別手段により判別された画像データの色を上記２つの色に置き換える。そして，置き換えられた２色からなる画像データを構成する画素中の特定画素若しくは一塊の画素の集合からなる特定画素集合と該特定画素又は該特定画素集合に隣接する画素又は画素集合との所定の関係に基づいて，該特定画素又は該特定画素集合の二次元的な連続性を判断する。そして，上記連続性判断の結果，上記特定画素又は上記特定画素集合に連続性がないと判断された特定画素又は特定画素集合の色を，該特定画素又は該特定画素集合に隣接する画素又は画素集合の色に置き換える構成でもかまわない。
上記所定の関係については，例えば抽出色と非抽出色との割合が考えられる。
このような構成により，妥当な判別が行われ，よりムラの少ない２色画像を形成する画像形成装置を提供することができる。
また，予め定められた領域で，上記連続性の判断が行なわれることが考えられる。この場合，予め定められた領域の一例として，９画素以上５４画素以下が考えられる。
上記予め定められた領域が，９画素であると，上記連続性判断手段により判断される特定画素を中心とすると，該特定画素の縦横斜めの周囲８画素との関係を判断基準とすることができる。また，上記予め定められた領域が広範囲すぎると，上記連続性判断手段により二次元的な連続性を判断しにくくなるからである。
また，変換された２色の画像データ及び入力された画像データの明度に基づいて出力するデータを作成することが考えられる。
このように，入力された画像データの色が２色に変換され，入力された画像データの明度に基づいて出力データが作成され，画像が形成されるので，原稿の明度はそのままで，フルカラーが２色になった画像が形成される。
【発明の効果】
【０００５】
本発明によれば，より精度が高くムラの少ない２色画像を形成する画像形成装置を提供することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像形成装置Ｘの制御系統のブロック図，図２は本発明の実施の形態に係る画像形成装置Ｘの制御部１０による２色画像形成処理の手順についてその一例を説明するためのフローチャート，図３は色空間図，図４は抽出色判別結果の置き換えを説明するための模式図である。
【０００７】
本発明の実施の形態に係る画像形成装置Ｘは，大別すると，画像読取部と，画像形成部と，給紙部と，定着部とにより構成されている。
上記画像読取部は，原稿に光を照射する画像読取部側露光部，上記原稿が載置されるコンタクトガラス，上記原稿からの反射光を受光するキャリッジ，該キャリッジにより受光された光を導く導光ミラー，該導光ミラーにより導かれた光を集める光学レンズ，該光学レンズにより集光された光を受光するイメージセンサであるＣＣＤなどを備えて構成されている。
上記画像形成部は，像を担持する感光体ドラム，該感光体ドラムの表面を帯電させる帯電部，上記感光体ドラム上にレーザビームを照射して静電潜像を形成する露光部，上記静電潜像にトナーを付着させてトナー像を上記感光体ドラムの表面に形成する現像部，上記感光体ドラム上に現像された像を記録紙などに転写する転写部，転写後の上記感光体ドラムをクリーニングするクリーニング部，転写後の上記感光体ドラムに残留する電位を除去する除電部などにより構成されている。
制御のためのハードウエアとしては，図１のブロック図に示すように，原稿の読み取りを開始する指示などの入力操作を行うことができる操作入力部１，各種データを記憶するメモリである記憶部２，演算処理を行う演算部３，これらを統括的に制御する制御部１０などが備えられている。
上記記憶部２には，上記制御部１０に伝送された画像データを１画素ごとに判別する際に使用する彩度値の閾値ＳＡＴＴＨＤ，後記の抽出色ごとの色相最大値ＨＵＥＭＡＸ及び色相最小値ＨＵＥＭＩＮが記憶される。
【０００８】
続いて，図２のフローチャート及び図１のブロック図を用いて，上記制御部１０による２色画像形成処理の手順についてその一例を説明する。
図中のＳ１０，Ｓ２０…は処理手順（ステップ）番号を示し，処理はステップＳ１０より開始される。
ステップＳ１０は，上記操作入力部１を通じて２色画像形成で使用される抽出色が入力されるのを待つための手順である。上記制御部１０により，上記操作入力部１を通じた操作入力により２色画像形成で使用するための抽出色が入力されたと判断されると（ステップＳ１０のＹｅｓ側），処理はステップＳ２０に移行される。
【０００９】
ステップＳ２０では，上記制御部１０により，上記操作入力部１から入力された２色画像形成で使用するための抽出色（例えば赤色）が，上記記憶部２に記憶される。色は，色相と彩度を示す数値の形で入力される。
【００１０】
ステップＳ３０は，上記操作入力部１を通じて画像形成が指示されるのを待つための手順である。上記制御部１０により，上記操作入力部１を通じた操作入力により画像形成が指示されたと判断されると（ステップＳ３０のＹｅｓ側），上記給紙部では不図示の給紙カセットに収納されている記録紙が，不図示の給紙ローラなどにより画像形成開始位置まで搬送され，処理はステップＳ４０に移行される。
【００１１】
ステップＳ４０では，上記画像読取部により，原稿が後述の画像データとして読み取られ，処理はステップＳ５０に移行される。
具体的には，上記画像読取部に備えられた上記画像読取部側露光部から原稿に光が照射され，原稿が載置された上記コンタクトガラスを介して，原稿からの反射光が上記キャリッジにより受光される。上記キャリッジにより受光された反射光は，上記導光ミラー，光学レンズを介してＣＣＤに到達し，上記制御部１０へ伝送される。
【００１２】
ステップＳ５０では，上記制御部１０に伝送された画像データ（シアンＣin，マゼンタＭin，イエローＹin）は，上記制御部１０により，上記ステップＳ２０に記憶された抽出色（ここでは赤色）か該抽出色でない色である非抽出色（ここでは緑色，青色）かが１画素ごとに判別される。
具体的には，一例として，ＣＩＥ  Ｌ*ａ*ｂ*表色系を用いて，判別する画素Ａの色相値ＨＵＥ（図３における軸ａ*と原点から点Ａまでの線により形成される角θ）と，彩度値ＳＡＴ（図３における原点から点Ａまでの距離ｄ）により判別する。
まず，判別する画素Ａの彩度値ＳＡＴが，上記記憶部２に記憶された彩度値の閾値ＳＡＴＴＨＤ（図３におけるｒ）以下であれば，グレー色であるので，非抽出色と判別される。
判別する画素Ａの彩度値ＳＡＴが彩度値の閾値ＳＡＴＴＨＤよりも大きければ，次に色相について判別する。即ち，判別する画素Ａの色相値ＨＵＥが上記ステップＳ２０で上記記憶部２に記憶された抽出色の色相最小値ＨＵＥＭＩＮ以上且つ上記ステップＳ２０で上記記憶部２に記憶された抽出色の色相最大値ＨＵＥＭＡＸ以下であるか否かが判別される。判別する画素Ａの色相値ＨＵＥが色相最小値ＨＵＥＭＩＮ以上且つ色相最大値ＨＵＥＭＡＸ以下であれば，抽出色と判別され，判別する画素Ａの色相値ＨＵＥが色相最小値ＨＵＥＭＩＮ未満か或いは色相最大値ＨＵＥＭＡＸよりも大きければ，非抽出色と判別される。
ここで，上記制御部１０に伝送された画像データ（Ｃin，Ｍin，Ｙin）が，上記記憶部２に記憶された抽出色か非抽出色かを１画素ごとに判別する処理を実行する上記制御部１０が，抽出色判別手段の一例に相当する。
【００１３】
従来の一般的な２色画像形成の機能を備えた画像形成装置は，上述のステップＳ１０〜ステップＳ５０の処理に続いて後記のステップＳ６０〜ステップＳ７０の処理が実行されることにより，２色画像が形成される。
しかしながら，従来の一般的な２色画像形成の機能を備えた画像形成装置では，上記ステップＳ５０のように入力された画像データが抽出色か非抽出色かを１画素ごとに順次判別するだけであるので，原稿が，ゴミなどが付着した原稿や，中間色（例えば肌色）で徐々に階調が異なる部分（例えば人の顔の頬など）を含んだ写真であると，抽出色として判別されるべき画素が，非抽出色と誤って判別されてしまったり，読み取りムラが生じることにより，形成される画像がムラになってしまうという問題があった。
そこで，本発明では，上記ステップＳ５０のように入力された画像データが抽出色か非抽出色かを１画素ごとに判別した後に，所定の関係に従って画素間の連続性を判断し，連続していないと判断された画素の抽出色判別結果を隣接する画素の抽出色判別結果に置き換えることによって，抽出色を誤って判別した場合でも，形成される画像がムラになることを防ぐことができる。
以下に，不連続画素の抽出色判別結果置き換え処理について詳しく説明する。
この処理は，上記ステップＳ５０の抽出色判別処理と，後記のステップＳ６０の非抽出色変換処理との間に行われるものである。
【００１４】
図２（ｂ）は，上記制御部１０により実行される不連続画素の抽出色判別結果置き換え処理の手順についてその一例を説明するためのフローチャートである。
図中のＳ１００，Ｓ１１０…は処理手順（ステップ）番号を示し，処理はステップＳ１００より開始される。
ステップＳ１００では，上記ステップＳ５０で抽出色か非抽出色かが判別された画像データを構成する画素のうち，図４に示すように，任意の１画素を特定画素とし，該特定画素を中央にして，縦３画素，横３画素の計９画素からなる領域を，上記特定画素に連続性があるか否かを判別するための連続性判別領域とし，処理はステップＳ１１０に移行される。
上記特定画素を中央にして，縦３画素，横３画素の計９画素からなる領域を，上記特定画素に連続性があるか否かを判別する連続性判別領域とするのは，上記特定画素を中心とすると，該特定画素の縦横斜めの周囲８画素との関係を判断基準とすることができるからである。また，上記連続性判別領域が広範囲すぎると，上記連続性判断手段により二次元的な連続性を判断しにくくなるからである。
【００１５】
ステップＳ１１０では，上記連続性判別領域内の上記特定画素と上記特定画素に隣接する画素との所定の関係に基づいて，上記特定画素の二次元的な連続性が判断される。
ここでは，上記所定の関係が，抽出色と非抽出色との割合である場合を考える。
具体的には，上記連続性判別領域内の上記特定画素に隣接する画素のうち，上記特定画素の抽出色判別結果（例えば抽出色）と異なる抽出色判別結果（例えば非抽出色）の割合が，所定の割合（ここでは８７．５％）以上であるか否かが判断される。上記制御部１０により，上記連続性判別領域内の上記特定画素に隣接する画素のうち，上記特定画素の抽出色判別結果と異なる抽出色判別結果の割合が，所定の割合以上であると判断されれば（ステップＳ１１０のＹｅｓ側），上記特定画素は連続性がないと判断され，処理はステップＳ１２０に移行される。上記制御部１０により，上記連続性判別領域内の上記特定画素に隣接する画素のうち，上記特定画素の抽出色判別結果と異なる抽出色判別結果の割合が，所定の割合未満であると判断されれば（ステップＳ１１０のＮｏ側），上記特定画素は連続性があると判断され，処理はステップＳ１３０に移行される。
ここで，上記ステップＳ５０での上記制御部１０による抽出色判別結果について，上記連続性判別領域で，上記入力された画像データを構成する画素中の特定画素と該特定画素に隣接する画素との所定の関係に基づいて，該特定画素の二次元的な連続性を判断する上記制御部１０が，第１の連続性判断手段の一例に相当する。
なお，上記所定の割合は，装置ごとに固定とし利用者によって変更できない構成でも良いし，利用者によって変更できるような構成でもかまわない。
【００１６】
ステップＳ１２０では，上記制御部１０により，上記ステップＳ１１０で連続性がないと判断された特定画素の抽出色判別結果が，上記連続性判別領域内の上記特定画素に隣接する所定の割合以上を占める画素の抽出色判別結果に置き換えられる。
具体的には，図４に示すように，上記連続性判別領域内の上記特定画素に隣接する８画素のうち，８７．５％以上，すなわち，７画素又は８画素の抽出色判別結果が，上記特定画素の抽出色判別結果と異なれば，上記特定画素の抽出色判別結果は，上記特定画素に隣接する７画素又は８画素の抽出色判別結果に置き換えられる。
図４（ａ）に示すように，上記連続性判別領域内の上記特定画素の抽出色判別結果が抽出色であり，上記隣接する８画素全ての抽出色判別結果が上記特定画素の抽出色判別結果と異なる非抽出色であれば，上記特定画素の抽出色判別結果は，抽出色から非抽出色に置き換えられる。
図４（ｂ）に示すように，上記連続性判別領域内の上記特定画素の抽出色判別結果が非抽出色であり，上記隣接する８画素全ての抽出色判別結果が上記特定画素の抽出色判別結果と異なる抽出色であれば，上記特定画素の抽出色判別結果は，非抽出色から抽出色に置き換えられる。
図４（ｃ）に示すように，上記連続性判別領域内の上記特定画素の抽出色判別結果が非抽出色であり，上記隣接する７画素の抽出色判別結果が上記特定画素の抽出色判別結果と異なる抽出色であれば，上記特定画素の抽出色判別結果は，非抽出色から抽出色に置き換えられる。
図４（ｄ）（ｅ）に示すように，上記連続性判別領域内の上記特定画素の抽出色判別結果が非抽出色であり，上記隣接する６画素の抽出色判別結果が上記特定画素の抽出色判別結果と異なる抽出色であれば，上記特定画素の抽出色判別結果は，置き換えられない。
ここで，上記制御部１０により上記特定画素に連続性がないと判断された特定画素の抽出色判別結果を，該特定画素に隣接する画素の抽出色判別結果に置き換える制御部１０が，判別結果置き換え手段の一例に相当する。
図示しないが，ステップＳ１２０の処理が終了すると，特定画素の位置を１つずらす処理を行う。
【００１７】
このとき，ステップＳ１３０では，上記制御部１０により，すべての画素の二次元的な連続性が判断されたか否かが判断される。
上述のように，二次元的な連続性を１画素ずつ移動しながら判別していくのであるが，上記制御部１０により，まだ判別が終了していない画素があると判断されれば（ステップＳ１３０のＮｏ側），ステップＳ１００に戻り，すべての画素の二次元的な連続性が判別されるまでステップＳ１００〜ステップＳ１２０の処理が繰り返される。上記制御部１０によりすべての画素の二次元的な連続性が判別されたと判断されると（ステップＳ１３０のＹｅｓ側），不連続画素の抽出色判別結果置き換え処理は終了する。
【００１８】
なお，上記ステップＳ１００では，所定の１画素を特定画素とし，ステップＳ１１０で１画素ずつ連続性があるか否かを判断したが，所定の一塊の画素の集合を特定画素集合とし，特定画素集合ずつ連続性があるか否かを判断してもかまわない。例えば，６画素を一塊の画素集合とすると，特定画素集合を中央にして，縦３画素集合，横３画素集合の計９画素集合，つまり５４画素からなる領域が，上記特定画素集合に連続性があるか否かを判別する連続性判別領域になる。
【００１９】
図２（ａ）に示すように，上記ステップＳ１００〜ステップＳ１３０の不連続画素の抽出色判別結果置き換え処理が終了すると，処理はステップＳ６０に移行される。
ステップＳ６０では，上記ステップＳ５０で判別され，更に上記ステップＳ１００〜Ｓ１３０の不連続画素の抽出色判別結果置き換え処理により置き換えられた抽出色判別結果と上記ステップＳ４０で上記制御部１０に伝送された画像データの明度に基づいて，上記入力画像データの非抽出色が所定の色に変換された出力画像データが算出（作成）される。
具体的には，上記ステップＳ４０で上記制御部１０に伝送された画像データ（Ｃin，Ｍin，Ｙin）から，明度ＴＥＭＰが上記演算部３で算出される。
ＴＥＭＰ＝Ｃin×ａ1＋Ｍin×ａ2+Ｙin×ａ3
上記ａ1，ａ2，ａ3は定数である。
続いて，出力画像データ（シアンＣout，マゼンタＭout，イエローＹout，ブラックＫout）を算出（作成）する。
上記ステップＳ１００〜Ｓ１３０の不連続画素の抽出色判別結果置き換え処理により置き換えられた抽出色判別結果が，非抽出色であれば，
Ｃout＝ＴＥＭＰ×ｍｕｌｃ0
Ｍout＝ＴＥＭＰ×ｍｕｌｍ0
Ｙout＝ＴＥＭＰ×ｍｕｌｙ0
Ｋout＝ＴＥＭＰ×ｍｕｌｋ0
上記ｍｕｌｃ0，ｍｕｌｍ0，ｍｕｌｙ0は０，ｍｕｌｋ0は定数（例えば１）とすることにより，黒色に変換される。
このように，抽出色か非抽出色かの判別をされ，更に不連続画素の抽出色判別結果置き換え処理により置き換えられた抽出色判別結果に基づいて，上記入力された画像データの非抽出色を所定の色に変換する処理を実行する上記演算部３及び上記制御部１０が，非抽出色変換手段の一例に相当する。
一方，上記ステップＳ１００〜Ｓ１３０の不連続画素の抽出色判別結果置き換え処理により置き換えられた抽出色判別結果が，抽出色であれば，
Ｃout＝ＴＥＭＰ×ｍｕｌｃ1
Ｍout＝ＴＥＭＰ×ｍｕｌｍ1
Ｙout＝ＴＥＭＰ×ｍｕｌｙ1
Ｋout＝ＴＥＭＰ×ｍｕｌｋ1
上記ｍｕｌｃ1，ｍｕｌｍ1，ｍｕｌｙ1，ｍｕｌｋ1は，抽出色によって値が異なる。例えば，抽出色が赤であれば，ｍｕｌｃ1とｍｕｌｋ1は０であり，ｍｕｌｍ1とｍｕｌｙ1は１：１となるような定数であり，抽出色が青であれば，ｍｕｌｙ1とｍｕｌｋ1は０であり，ｍｕｌｍ1とｍｕｌｃ1は１：１となるような定数である。
上述のように，抽出色か非抽出色かの判別をされ，更に不連続画素の抽出色判別結果置き換え処理により置き換えられた抽出色判別結果と，上記入力画像データの明度に基づいて，出力画像データを算出（作成）する処理を実行する上記演算部３及び上記制御部１０が，第１の出力データ作成手段の一例に相当する。
【００２０】
ステップＳ７０では，上記出力画像データ（Ｃout，Ｍout，Ｙout，Ｋout）に基づいて,画像形成処理が実行される。
まず，上記出力画像データ（Ｃout，Ｍout，Ｙout，Ｋout）が上記画像形成部の露光部に入力される。
上記感光体ドラムは，回転されることで，上記帯電部によって帯電される。そして，上記感光体ドラムの表面に，上記露光部から上記所定の画像処理がなされたデータに従ったレーザビームが照射され，静電潜像が書き込まれる。
上記現像部では，上記現像部に含まれる現像ローラにトナーが供給され，上記現像ローラが回転されることにより上記現像ローラに担持されたトナーは，上記感光体ドラムに形成された静電潜像に引き付けられて移動して，該静電潜像が現像される。
上記感光体ドラムは引き続き回転され，上記現像部により現像されて形成されたトナー画像は，上記ステップＳ３０で画像形成開始位置まで搬送された記録紙に転写され，上記定着部により熱を加えられ，記録紙に定着する。
上記転写部よりも上記感光体ドラムの回転方向下流側には，上記クリーニング部が配置されており，上記感光体ドラムの表面上に残留したトナーや他の付着物が除去される。上記クリーニング部よりも上記感光体ドラムの回転方向下流側には，上記除電部が設けられており，上記感光体ドラムに残留する電位が除去され，次の画像形成に備えられる。
上記ステップＳ６０，Ｓ７０のように，上記入力画像データの非抽出色が所定の色に変換され，入力画像データの明度に基づいて出力画像データが作成され，画像が形成されるので，原稿の明度はそのままで，２色の画像が形成される。
【００２１】
上記実施の形態では，抽出色の判別（上記ステップＳ５０）を行い，その判別結果を用いて連続性を判断し（上記ステップＳ１１０），不連続な部分の判別結果を連続性が出るように置き換え（上記ステップＳ１２０），置き換えられた判別結果を更に対応する色に変換（上記ステップＳ６０）している。しかし，抽出色の判別（上記ステップＳ５０）がなされた画像データの各画素の色を判別結果に基づく色（抽出色又は非抽出色）に置き換え，置き換えられた画素の色に基づいて連続性を判断し，連続性があるように特定画素の色を置き換えるようにしても良い。
このような構成により，より精度が高くムラの少ない２色画像を形成する画像形成装置を提供することができる。
なお，本発明の実施の形態に係る画像形成装置Ｘは，フルカラーの画像形成ももちろん可能である。
【図面の簡単な説明】
【００２２】
【図１】本発明の実施の形態に係る画像形成装置Ｘの制御系統のブロック図。
【図２】本発明の実施の形態に係る画像形成装置Ｘの制御部１０による２色画像形成処理の手順についてその一例を説明するためのフローチャート。
【図３】色空間図。
【図４】抽出色判別結果の置き換えを説明するための模式図。
【符号の説明】
【００２３】
１…操作入力部
２…記憶部
３…演算部
１０…制御部
【図１】
2007266860.tif 000003
【図２】
2007266860.tif 000004
【図３】
2007266860.tif 000005
【図４】
2007266860.tif 000006